(57)【特許請求の範囲】
【請求項１】
回転軸の軸端部に被締め付け部材を嵌合し、締結具により締め付け固定するようにした締め付け装置において、
回転駆動部及びこれを回転自在に支持する駆動本体部を有する締め付け駆動手段と、これと別体のソケット一体型廻り止め治具とを備えるとともに、
このソケット一体型廻り止め治具は、一端で前記駆動本体部側へ着脱自在に取付げられる筒状の廻り止め治具本体と、その内部へ一端側が回転自在に支持されかつ他端側に前記締結具が嵌合されるソケット部を有し、
このソケット部は、前記一端側を前記回転駆動部と一体回転する連結部材へ一体回転可能に連結し、
この連結部材とソケット部は、一体回転可能並びに軸方向へ相対移動可能に連結され、かつ連結部材とソケット部との間に介装されたスプリングにより前記ソケット部を突出側へ付勢し、
前記廻り止め治具本体は、その一端部を、予め前記駆動本体部へ取付けられている治具ホルダーへ嵌合により着脱自在に取付け、他端側に前記被締め付け部材に係合して前記回転軸を回動不能にする廻り止め部を設けるともに、
前記治具ホルダーに、前記廻り止め治具本体の嵌合部を介して前記締め付け駆動手段の反力を受けるための反力受け部を設けたことを特徴とする締め付け装置。
【請求項２】
前記廻り止め部は、被締め付け部材に設けられた係止穴へ係合するピン状をなすことを特徴とする請求頂１に記載した締め付け装置。
【請求項３】
前記廻り止め部は、被締め付け部材に設けられた凸部が係合する凹部であることを特徴とする請求項１に記載した締め付け装置。
【請求項４】
前記廻り上め部は、被締め付け部材に設けられたリブに係合することを特徴とする請求項１に記載した締め付け装置。
【請求項５】
前記廻り止め部は、内面にセレーションが設けられた中空部であることを特徴とする請求項１に記載した締め付け装置。
【発明の詳細な説明】
【０００１】
【発明の属する技術分野】
この発明はエンジンのクランクシャフト端部へフライホイ―ルをナットにより固定するときのような回転体の締結作業に使用して好適な締付け装置に関する。
【０００２】
【従来の技術】
このような締め付け装置は公知であり、実公平２−１２０４９号には、インパクトレンチ本体部(ケース側部分)へ廻り止めピンを一体に設け、クランクシャフトの軸端部へ取付けられているフライホイールの一部に予め設けられている穴部へこの廻り止めピンを係止してフライホイールを廻り止めし、同時にインパクトレンチの回転軸先端に設けたソケットへナットやボルト等を嵌合してクランクシャフトの軸端部へ締め付けることによりフライホイールを固定している。
【０００３】
このようにすれば、締め付け作業と廻り止めを一つの装置で同時にできるので、インパクトレンチと別の工具を用いて回転軸と一体に回転可能になっているフライホイールを廻り止め固定する必要が無く、作業性に優れたものになる。
【０００４】
【発明が解決しようとする課題】
ところで上記従来例構造によれば、廻り止めピンが予めインパクトレンチ本体へ固定されているため、締め付け対象が異なることにより、廻り止め係止位置が異なると使用できなくなり、その結果、汎用性のない専用工具になってしまう。そこで本願発明は各種の被締め付け部材に対しても共通使用可能として締め付け装置に汎用性を持たせることを目的とする。
【０００５】
【課題を解決するための手段】
上記課題を解決するため本願の締め付け装置に係る請求項１の発明は、回転軸の軸端部に被締め付け部材を嵌合し、締結具により締め付け固定するようにした締め付け装置において、
回転駆動部及ぴこれを回転自在に支持する駆動本体部を有する締め付け駆動手段と、これと別体のソケット一体型廻り止め治具とを備えるとともに、
このソケット一体型廻り止め治具は、一端で前記駆動本体部側へ着脱自在に取付けられる筒状の廻り止め治具本体と、その内部へ回転自在に支持されるソケット部を有し、
前記廻り止め治具本体に被締め付け部材を回動不能に保持する廻り止め部を設け、
かつ前記ソケット部の 一端を前記回転駆動部へ一体回転可能に連結し、他端側に前記締結具の嵌合部を設けたことを特徴とする。
【０００６】
また、前記ソケット部が連結部材を介して回転駆動部の回転軸へ連結されるとともに、連結部材とソケット部は一体回転可能並びに軸方向へ相対移動可能に連結され、前記連結部材との間に介装されたスプリングにより突出側へ付勢されることを特徴とする。
【０００７】
さらに、前記廻り止め治具本体は、その一端が予め駆動本体部へ取付けられている治具ホルダーへ嵌合により着脱自在に取付けられるとともに、この治具ホルダーに、廻り止め治具本体の嵌合部を介して締め付け駆動手段の反力を受けるための反力受け部を設けたことを特徴とする。
【０００８】
請求項２の発明は上記請求項１の発明において、前記廻り止め部が被締め付け部材に設けられた係止穴ヘ係合するピン状をなすことを特徴とする。
【０００９】
請求項３の発明は上記請求項１の発明において、前記廻り止め部を、被締め付け部材に設けられた凸部が係合する凹部としたことを特徴とする。
【００１０】
請求項４の発明は上記請求項１の発明において、前記廻り止め部が被締め付け部材に設けられたリブに係合することを特徴とする。
【００１１】
請求項５の発明は上記請求項１の発明において、前記廻り止め部を、内面にセレーションが設けられた中空部としたことを特徴とする。
【００１２】
【発明の効果】
請求項１の発明によれば、ソケット一体型廻り止め治具を締め付け駆動手段に対して着脱自在となる別体に構成したので、締め付け対象が変化した場合、廻り止め構造に適したソケット一体型廻り止め治具に交換可能であり、その結果、締め付け装置に汎用性を持たせることができる。
【００１３】
また、ソケット部を回転駆動部へ連結部材を介して連結し、ソケット部と連結部材間を一体回転可能かつ軸方向相対移動可能とし、さらにソケット部を突出方向へバネ付勢したので、ボルトやナット等の締結具を締め付けるとき、締め付け作業中に締付具の位置が変化しても、ソケット部が良好に追従できる。そのうえ、締結対象部である回転軸の軸端部位置が変化してもこれに柔軟に対応できるので、ある程度の汎用性が得られる。
【００１４】
さらに、治具ホルダーを介して廻り止め治具本体を駆動本体部へ着脱自在に取付けるとともに、治具ホルダーに反力受け部を設けたので、締め付け完了時における反力がソケット部から廻り止め治具本体の治具ホルダー結合部へ伝達され、ここで反力受け部により受け止めることができる。
【００１５】
請求項２の発明によれば、廻り止め部がピン状をなすので、被締め付け部材に係止穴が設けられている場合はこれを利用して容易に廻り止めできる。
【００１６】
請求項３の発明によれば、廻り止め部が凹部であるため、これに係合する凸部が被締め付け部材側に設けられている場合に有利な廻り止め構造となる。
【００１７】
請求項４の発明によれば、廻り止め部が被締め付け部材に予め設けられているリブに係合ずるようになっているので、被締め付け部材にリブが設けられている場合にこれを有効利用できる。
【００１８】
請求項５の発明によれば、廻り止め部が内面にセレーションを形成された中空部であるため、被締め付け部材がギヤ等の係合可能な角部を有する形状の場合に、被締め付け部材全体を中空部内へ嵌合することにより廻り止めできる。
【００１９】
【発明の実施の形態】
以下、図面に基づいて、クラッチの組立に使用する締め付け装置に適用された一実施例を説明する。図１はこの組立使用状態における断面図、図２は締め付け装置の分解斜視図、図３は図１の３−３線に沿う概略断面図である。
【００２０】
まず、図２により全体構造を概説する。この締め付け装置は、締め付け駆動手段であるインパクトレンチ１と、その駆動本体部であるインパクトレンチ本体部２と、これに一体化されているフランジ３へボルト４により着脱自在に取付けられる治具ホルダー５と、これに対して着脱自在に取付けられるソケット一体型廻り止め治具６とを備えている。
【００２１】
ソケット一体型廻り止め治具６は、廻り止め治具本体７と、その内部へ回転自在に支持されるソケット部８を備え、廻り止め治具本体７は上端部に設けられた略長円形のジョイント部１０を治具ホルダー５へ嵌合してボルト１１で締め付けられることにより、治具ホルダー５と一体化している。また、廻り止め治具本体７の下部は大径のフランジ部１２が設けられている。
【００２２】
一方、ソケット部８は、ジョイント部１０に―端部が臨んでいる連結部材１３と連結され、これと一体回転可能になっており、連結部材１３に設けられた角穴１４でインパクトレンチ１側の回転駆動部へ連結される。１５は押さえリングである。
【００２３】
なお、この締め付け装置はボルト４の上端に設けられたループ部１６を吊り下げ治具１７と連結することにより、作業台等の上方へ上下動自在に吊り下げ支持されるようになっている。
【００２４】
次に、図１及び図３により、詳細構造を説明する。インパクトレンチ１は、インパクトレンチ本体部２へ回転自在に支持された回転駆動部である回転軸２０を備え、その先端に形成された角形部２１が連結部材１３の角穴１４へ着脱自在に嵌合することにより、回転軸２０と連結部材１３が一体回転するようになっている。
【００２５】
連結部材１３の他端側は、ソケット部８の―端部に形成された軸穴２３へ進退自在に嵌合し、かつ軸方向へ形成された長穴２４と、これにソケット部８側から通されたピン２５により、相対的に軸方向移動自在かつ一体回転可能に結合される。連結部材１３とソケット部８の間にはコイルスプリング２６が圧縮して介装され、ソケット部８を突出方向へバネ付勢している。
【００２６】
ソケット部８の他端部には、六角形状の締結具嵌合凹部２７が設けられ、ここにボルト又はナット(本実施例ではナット)からなる締結具２８が嵌合することにより、ソケット部８と一体回転して相手側のネジ部へ締結されるようになっている。
【００２７】
廻り止め治具本体７はソケット部８、連結部材１３及びコイルスプリング２６等の回転部を収容するために筒状をなし、その上部に形成されたフランジ状のジョイント部１０は略カップ状をなす治具ホルダー５内へ嵌合し、押さえプレート３０を介してボルト３１で治具ホルダー５へ抜け止め支持されている。
【００２８】
廻り止め治具本体７の他端部に形成されるフランジ部１２の適所には、ピン状をなす一体の廻り止め部３２が回転軸方向と平行に突出形成され、被締め付け部材であるクラッチインナ３３に一体形成されているリブ３４と係合するようになっている。
【００２９】
クラッチインナ３３とクラッチアウタ３５は、共に回転軸３６の軸端部へ嵌合され、このうちクラツチインナ３３は、回転軸３６とセレーション結合しておリ、かつ回転軸３６の軸端に形成されているネジ部３７へ締結具２８を締め付けることにより、回転軸３６へ一体回転可能に固定される。
【００３０】
図３は反力受け部構造を示し、治具ホルダー５の１８０°対称位置に、ジョイント部１０の最大径部１０ａと干渉するように反力受け部をなす反力受けピン３８が設けられている。治具ホルダー５がジョイント部１０を嵌合する際は、まず仮想線Ａで示す状態とし、続いて締め付け時の回転方向であるＣ矢示方向へ略９０度回動させて最大径部１０ａが反力受けピン３８と干渉する実線Ｂで示す位置においてボルト１１により治具ホルダー５とジョイント部１０を固定する。
【００３１】
次に、本実施例の作用を説明する。図１において締め付け装置をクラッチの上方に位置させ、ネジ部３７先端部に締結具２８を取付け、回転軸３６の軸線とソケット部８の軸線を―致させてから、予め吊り下げられている装置全体を下降させると、ソケット部８の締結具嵌合凹部２７内に締結具２８が嵌合するので、インパクトレンチ１の回転軸２０を回転させるとソケット部８により締結具２８が締め付けられる。
【００３２】
このとき、クラッチインナ３３は回転軸３６と一体化して回転自由な状態になっているが、廻り止め部３２がリブ３４と係合することにより、クラッチインナ３３は廻り止めされ、廻り止め治具本体７、治具ホルダー５及びインパクトレンチ本体部２が非回転部として一体化する。
【００３３】
このため、ソケット部８による締結具２８の締め付け作業において、本締め付け装置と別体の廻り止め工具を併用することなく、締め付け装置単体にて行うことができるので作業効率が向上する。
【００３４】
締結具２８を締め付け終わると、締結具２８の回転が停止し、その反力がソケット部８、連結部材１３、回転軸２０及びインパクトレンチ本体部２を介して治具ホルダー５と廻り止め治具本体７のジョイント部１０との結合部へ伝達されるが、反カ受けピン３８にて受け止めることができる。
【００３５】
また、連結部材１３を介して回転軸２０とソケット部８を連結することにより、ソケット部８は連結部材１３に対して軸方向へ相対移動できるから、締め付け中に締結具２８の位置が変化しても、コイルスプリング２６により良好に追従でき、かつ、被締め付け部材が異なることによりネジ部３７の位置が変化しても、この変化に対してソケット部８の突出量が変化することにより柔軟に対応できるので、ある程度の汎用性が得られる。
【００３６】
さらに、治具ホルダー５に対してソケット一体型廻り止め治具６を別体に形成して着脱自在にしたので、被締め付け部材が異なり、廻り止めの構造や位置が変わった場合には、廻り止め治具本体７のみを交換するだけで効応できるようになっている。
【００３７】
すなわち、フライホイールのように予め係止穴が設けられている被締め付け部材に対しては、廻り止め部をこの係止穴へ係合可能に設けた廻り止め治具本体７を選択する。また、機種の相違などで係止穴の大きさや位置が変わった場合は、同様に別の廻り止め治具本体７を用いればよい。
【００３８】
さらに、被締め付け部材側に凸部がある場合には、これが係合する凹部を廻り止め治具本体７へ廻り止め部として設けるようにし、被締め付け部材がギヤ等の角部を有するものであれば、これを係合するセレーションが形成されだ中空凹部とすることもできる。
【００３９】
このように、広範な種類の被締め付け部材に対して、締め付け装置全体でなく、比較的小型でかつ安価な部分である廻り止め治具本体７のみを文換するだけで対応できるため、締め付け装置全体としては汎用性に富むことになる。
【００４０】
なお、本願発明は、上記実施例に限定されず種々に変形や応用が可能であり、例えば、インパクトレンチ１は他の形式の電動工具等でも良い。また、一方向のみの締め付けではなく、左右いずれの方向へも締め付け可能に構成した場合は、反カ受けピン３８に変えて図３中に仮想線Ｄで示すような―対の半月形の反力受け部材を用いることができる。
【図面の簡単な説明】
【図１】本実施例に係る締め付け作業時の装置断面図
【図２】装置全体の分解斜視図
【図３】図１の３―３線に沿う概略断面図
【符号の説明】
１：インパクトレンチ、２：インパクトレンチ本体部、５：治具ホルダー、６：ソケット一体型廻り止め治具、７：廻り止め治具本体、８：ソケット部、２７：締結具嵌合凹部、２８：締結具、３２：廻り止め部、３３：クラッチインナ、３４：リブ、３６：回転軸
【図１】
0003635617.tif 000002
【図２】
0003635617.tif 000003
【図３】
0003635617.tif 000004